(57)【要約】  灯具ユニット１０は、投影光学系と、投影光学系の後方に配置され、入射した光を選択的に該投影光学系へ反射する光偏向装置と、光偏向装置の反射部へ第１の光を照射する第１の照射光学系１６と、光偏向装置の反射部へ第２の光を照射する第２の照射光学系１７と、を備える。第１の照射光学系１６および第２の照射光学系１７は、反射部１００ａを正面から見て、第１の光の照射方向と第２の光の照射方向とが平行にならないように配置されている。
2019176876.tif 000002
【特許請求の範囲】
【請求項１】
投影光学系と、
前記投影光学系の後方に配置され、入射した光を選択的に該投影光学系へ反射する光偏向装置と、
前記光偏向装置の反射部へ第１の光を照射する第１の照射光学系と、
前記光偏向装置の反射部へ第２の光を照射する第２の照射光学系と、を備え、
前記第１の照射光学系および前記第２の照射光学系は、前記反射部を正面から見て、前記第１の光の照射方向と前記第２の光の照射方向とが平行にならないように配置されていることを特徴とする灯具ユニット。
【請求項２】
前記光偏向装置は、前記反射部の少なくとも一部の領域において、前記第１の照射光学系または前記第２の照射光学系により照射された光を配光パターンの一部として有効に利用されるように前記投影光学系へ向けて反射する第１の反射位置と、前記第１の照射光学系または前記第２の照射光学系により照射された光が有効に利用されないように反射する第２の反射位置とを回動軸を中心に切り替え可能に構成されており、
前記第１の照射光学系は、前記反射部を正面から見て、前記回動軸の一方の側に配置されており、
前記第２の照射光学系は、前記反射部を正面から見て、前記回動軸の他方の側に配置されていることを特徴とする請求項１に記載の灯具ユニット。
【請求項３】
前記第１の照射光学系は、前記反射部を正面から見て、該反射部へ前記第１の光を斜めに照射するように配置され、
前記第２の照射光学系は、前記反射部を正面から見て、該反射部へ前記第２の光を斜めに照射するように配置されていることを特徴とする請求項２に記載の灯具ユニット。
【請求項４】
前記第１の照射光学系は、前記反射部を正面から見て、該反射部へ入射する前記第１の光の入射角が水平面から下方または上方に３０〜４０°の範囲となるように配置されていることを特徴とする請求項３に記載の灯具ユニット。
【請求項５】
前記光偏向装置は、マイクロミラーアレイを有することを特徴とする請求項２乃至４のいずれか１項に記載の灯具ユニット。
【請求項６】
前記投影光学系は、投影レンズを有し、
前記光偏向装置は、前記第２の反射位置で反射された前記第１の光および前記第２の光が前記投影レンズへ入射しないように構成されていることを特徴とする請求項２乃至５のいずれか１項に記載の灯具ユニット。
【請求項７】
前記第１の照射光学系は、反射した光を前記光偏向装置の反射部へ集束するように構成されているリフレクタを有していることを特徴とする請求項１乃至６のいずれか１項に記載の灯具ユニット。
【請求項８】
前記リフレクタの反射面は、前記光偏向装置の反射部よりも面積が大きいことを特徴とする請求項７に記載の灯具ユニット。
【発明の詳細な説明】
【技術分野】
【０００１】
本発明は、灯具ユニットに関する。
【背景技術】
【０００２】
従来、マトリックス状に配列された複数の反射素子が表面に設けられた反射装置により、光源から出射した光を選択的に反射することで、車両前方を所定の配光パターンで照射する車両用灯具ユニットが考案されている（特許文献１）。反射装置は、多数個の反射素子がそれぞれ傾倒可能に配置されており、多数個の反射素子の位置を第１位置と第２位置とに切り替え可能である。そして、反射装置は、各反射素子を、光源からの光の反射方向が配光パターンの形成に寄与する第１位置と配光パターンの形成に寄与しない第２位置とに適宜変化させることで、路面などを照明する配光パターンを形成するように構成されている。
【先行技術文献】
【特許文献】
【０００３】
【特許文献１】特開２０１６−１１０７６０号公報
【発明の概要】
【発明が解決しようとする課題】
【０００４】
ところで、前述の灯具ユニットは、一つの光源から出射した光を選択的に反射することで車両前方に所望の配光パターンを形成するように構成されている。したがって、灯具ユニットの各要素は、光源が一つの場合に適した配置となっている。そのため、複数の光源を採用する場合には、灯具ユニットの各要素が必ずしも最適な配置となっていない。【０００５】
本発明はこうした状況に鑑みてなされたものであり、その目的とするところは、複数の照射光学系から照射された光を効率良く利用できる新たな灯具ユニットを提供することにある。
【課題を解決するための手段】
【０００６】
上記課題を解決するために、本発明のある態様の灯具ユニットは、投影光学系と、投影光学系の後方に配置され、入射した光を選択的に該投影光学系へ反射する光偏向装置と、光偏向装置の反射部へ第１の光を照射する第１の照射光学系と、光偏向装置の反射部へ第２の光を照射する第２の照射光学系と、を備える。第１の照射光学系および第２の照射光学系は、反射部を正面から見て、第１の光の照射方向と第２の光の照射方向とが平行にならないように配置されている。【０００７】
この態様によると、第１の照射光学系が照射した第１の光が光偏向装置で反射された際に、投影光学系へ向かって反射されなかった第１の光が第２の照射光学系と干渉しにくくなる。同様に、第２の照射光学系が照射した第２の光が光偏向装置で反射された際に、投影光学系へ向かって反射されなかった第２の光が第１の照射光学系と干渉しにくくなる。そのため、各照射光学系の配置や構成の自由度が増し、各照射光学系から照射した光のうち、より多くの光が投影光学系で利用できる。【０００８】
光偏向装置は、反射部の少なくとも一部の領域において、第１の照射光学系または第２の照射光学系により照射された光を配光パターンの一部として有効に利用されるように投影光学系へ向けて反射する第１の反射位置と、第１の照射光学系または第２の照射光学系により照射された光が有効に利用されないように反射する第２の反射位置とを回動軸を中心に切り替え可能に構成されており、第１の照射光学系は、反射部を正面から見て、回動軸の一方の側に配置されており、第２の照射光学系は、反射部を正面から見て、回動軸の他方の側に配置されていてもよい。これにより、第１の照射光学系と第２の照射光学系とを光偏向装置の両側に別々に配置できるため、照射光学系同士の干渉を考慮せずに、光偏向装置の反射部へ向かう光の入射方向を適切に設定できる。【０００９】
第１の照射光学系は、反射部を正面から見て、該反射部へ第１の光を斜めに照射するように配置され、第２の照射光学系は、反射部を正面から見て、該反射部へ第２の光を斜めに照射するように配置されていてもよい。これにより、灯具ユニットの幅をコンパクトにできる。【００１０】
光偏向装置は、マイクロミラーアレイを有してもよい。これにより、様々な形状の配光パターンを素早く、精度良く形成できる。【００１１】
投影光学系は、投影レンズを有してもよい。光偏向装置は、第２の反射位置で反射された第１の光および第２の光が投影レンズへ入射しないように構成されていてもよい。これにより、迷光の発生が抑制される。【００１２】
なお、以上の構成要素の任意の組合せ、本発明の表現を方法、装置、システムなどの間で変換したものもまた、本発明の態様として有効である。
【発明の効果】
【００１３】
本発明によれば、複数の照射光学系から照射された光を効率良く利用できる新たな灯具ユニットを提供することができる。
【図面の簡単な説明】
【００１４】
【図１】本実施の形態に係る灯具ユニットの概略構成を模式的に示す側面図である。
【図２】本実施の形態に係る灯具ユニットの概略構成を模式的に示す上面図である。
【図３】本実施の形態に係る灯具ユニットの概略構成を模式的に示す正面図である。
【図４】本実施の形態に係る灯具ユニットの概略構成を模式的に示す斜視図である。
【図５】図５（ａ）は、本実施の形態に係る光偏向装置の概略構成を示す正面図、図５（ｂ）は、図５（ａ）に示す光偏向装置のＡ−Ａ断面図である。
【図６】図６（ａ）は、第１の照射光学系の光源から出射された光をミラー素子が反射位置Ｐ１で反射する様子を示す模式図、図６（ｂ）は、第１の照射光学系の光源から出射された光をミラー素子が反射位置Ｐ２で反射する様子を示す模式図、図６（ｃ）は、第１の照射光学系の光源から出射された光をミラー素子が反射位置Ｐ１および反射位置Ｐ２で反射した場合の反射光の広がりを模式的に示す図である。
【図７】図７（ａ）は、第２の照射光学系の光源から出射された光をミラー素子が反射位置Ｐ２で反射する様子を示す模式図、図７（ｂ）は、第２の照射光学系の光源から出射された光をミラー素子が反射位置Ｐ１で反射する様子を示す模式図、図７（ｃ）は、第２の照射光学系の光源から出射された光をミラー素子が反射位置Ｐ１および反射位置Ｐ２で反射した場合の反射光の広がりを模式的に示す図である。
【図８】本実施の形態に係るミラー素子の回動軸を説明するための模式図である。
【図９】図９（ａ）は、第１の照射光学系による入射光Ｌｉｎ、反射光Ｒ１および反射光Ｒ２との関係を模試的に示した正面図、図９（ｂ）は、第２の照射光学系による入射光Ｌｉｎ’、反射光Ｒ１’および反射光Ｒ２’との関係を模試的に示した正面図、図９（ｃ）は、図９（ａ）および図９（ｂ）の状態を重畳した様子を模式的に示した正面図である。
【図１０】図１０（ａ）は、本実施の形態に係る第１の照射光学系による入射光Ｌｉｎ、反射光Ｒ１およびＲ２との関係を模試的に示した正面図、図１０（ｂ）は、本実施の形態に係る第２の照射光学系による入射光Ｌｉｎ’、反射光Ｒ１’および反射光Ｒ２’との関係を模試的に示した正面図、図１０（ｃ）は、図１０（ａ）および図１０（ｂ）の状態を重畳した様子を模式的に示した正面図である。
【発明を実施するための形態】
【００１５】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組合せは、必ずしも発明の本質的なものであるとは限らない。
【００１６】
［灯具ユニット］
図１は、本実施の形態に係る灯具ユニットの概略構成を模式的に示す側面図である。図２は、本実施の形態に係る灯具ユニットの概略構成を模式的に示す上面図である。図３は、本実施の形態に係る灯具ユニットの概略構成を模式的に示す正面図である。図４は、本実施の形態に係る灯具ユニットの概略構成を模式的に示す斜視図である。
【００１７】
本実施の形態に係る灯具ユニット１０は、投影光学系１２と、投影光学系１２の後方かつ光軸Ａｘ上に配置され、入射した光を選択的に投影光学系１２へ反射する光偏向装置１００と、光偏向装置１００の反射部１００ａへ光を照射する第１の照射光学系１６および第２の照射光学系１７と、を備える。投影光学系１２は、第１の投影レンズ１８ａおよび第２の投影レンズ１８ｂを含む。照射光学系１６は、光源２０とリフレクタ２２とを含む。照射光学系１７は、光源２４とリフレクタ２６とを含む。
【００１８】
本実施の形態に係る灯具ユニット１０は、主として車両用灯具（例えば、車両用前照灯）に用いられる。ただし、用途はこれに限られるものではなく、各種照明装置や各種移動体（航空機や鉄道車両等）の灯具に適用することも可能である。
【００１９】
光源２０や光源２４は、ＬＥＤ（Light emitting diode）、ＬＤ（Laser diode）、ＥＬ（Electro luminescence）素子等の半導体発光素子や、電球、白熱灯（ハロゲンランプ）、放電灯（ディスチャージランプ）等を用いることができる。なお、光源とリフレクタとの間に集光部材を設けてもよい。集光部材は、光源から出射した光の多くをリフレクタの反射面に導けるように構成されているものであり、例えば、凸レンズ、砲弾形状の中実導光体や、内面が所定の反射面となっている反射鏡等が用いられる。より具体的には、複合放物面集光器（Compound Parabolic Concentrator）が挙げられる。なお、光源から出射したほとんどの光をリフレクタの反射面に導ける場合は、集光部材を用いなくてもよい。光源は、例えば、金属やセラミック等のヒートシンクの所望の位置に搭載される。
【００２０】
光偏向装置１００は、投影光学系１２の光軸Ｘ上に配置され、光源２０や光源２４から出射した光を選択的に投影光学系１２へ反射するように構成されている。光偏向装置１００は、例えば、ＭＥＭＳ（Micro Electro Mechanical System）やＤＭＤ（Digital Mirror Device）といった複数のマイクロミラーをアレイ（マトリックス）状に配列したものである。これらの複数のマイクロミラーの反射面の角度をそれぞれ制御することで、光源２０や光源２４から出射した光の反射方向を選択的に変えることができる。つまり、光源２０や光源２４から出射した光の一部を投影光学系１２へ向けて反射し、それ以外の光を有効に利用されないような方向へ向けて反射することができる。ここで、有効に利用されないような方向とは、例えば、反射光の影響が少ない方向（例えば所望の配光パターンの形成にほとんど寄与しない方向）や光吸収部材（遮光部材）に向かう方向と捉えることができる。
【００２１】
本実施の形態に係る投影光学系１２は、第１の投影レンズ１８ａおよび第２の投影レンズ１８ｂの合成焦点近傍に光偏向装置１００の後述するマイクロミラーアレイが配置される。なお、投影光学系１２は、レンズ等の光学部材が一つであってもよく、あるいは３つ以上備えていてもよい。また、投影光学系が含む光学部材は、レンズに限られず反射部材であってもよい。
【００２２】
本実施の形態に係る第１の照射光学系１６は、光源２０から出射した光を光偏向装置１００へ反射するリフレクタ２２を有している。リフレクタ２２は、反射した光を光偏向装置１００の反射部１００ａへ集束するように構成されている。これにより、光源２０から出射した光を無駄なく光偏向装置１００の反射部１００ａへ向かわせることができる。
【００２３】
同様に、本実施の形態に係る第２の照射光学系１７は、光源２４から出射した光を光偏向装置１００へ反射するリフレクタ２６を有している。リフレクタ２６は、反射した光を光偏向装置１００の反射部１００ａへ集束するように構成されている。これにより、光源２４から出射した光を無駄なく光偏向装置１００の反射部１００ａへ向かわせることができる。
【００２４】
また、リフレクタ２２の反射面２２ａやリフレクタ２６の反射面２６ａは、光偏向装置１００の反射部１００ａよりも面積が大きい。これにより、光偏向装置１００を小型化できる。上述のように構成された灯具ユニット１０は、部分的な点消灯を実現する可変配光前照灯に用いることができる。
【００２５】
［光偏向装置］
図５（ａ）は、本実施の形態に係る光偏向装置の概略構成を示す正面図、図５（ｂ）は、図５（ａ）に示す光偏向装置のＡ−Ａ断面図である。
【００２６】
本実施の形態に係る光偏向装置１００は、図５（ａ）に示すように、複数の微小なミラー素子１０２がマトリックス状に配列されたマイクロミラーアレイ１０４と、ミラー素子１０２の反射面１０２ａの前方側（図５（ｂ）に示す光偏向装置１００の右側）に配置された透明なカバー部材１０６と、を有する。カバー部材は、例えば、ガラスやプラスチック等である。
【００２７】
マイクロミラーアレイ１０４の各ミラー素子１０２は、第１の照射光学系１６の光源２０から出射された光を所望の配光パターンの一部として有効に利用されるように投影光学系へ向けて反射する反射位置Ｐ１（図５（ｂ）に示す実線位置）と、光源から出射された光が有効に利用されないように反射する反射位置Ｐ２（図５（ｂ）に示す点線位置）とを切り替え可能に構成されている。
【００２８】
図６（ａ）は、第１の照射光学系１６の光源２０から出射された光をミラー素子１０２が反射位置Ｐ１で反射する様子を示す模式図、図６（ｂ）は、第１の照射光学系１６の光源２０から出射された光をミラー素子１０２が反射位置Ｐ２で反射する様子を示す模式図、図６（ｃ）は、第１の照射光学系１６の光源２０から出射された光をミラー素子が反射位置Ｐ１および反射位置Ｐ２で反射した場合の反射光の広がりを模式的に示す図である。なお、図６（ａ）〜図６（ｃ）では、説明を簡略化するためにマイクロミラーアレイを一つのミラー素子に置き換えて図示している。
【００２９】
図６（ｃ）に示すように、光源２０から出射した光はリフレクタ２２により集光反射されるため、入射光Ｌｉｎは完全な平行光とはならない。つまり、入射光Ｌｉｎは、ミラー素子１０２の反射面１０２ａに入射する際の入射角がある程度の広がりを持つ。そして、ミラー素子１０２は、反射位置Ｐ１にて入射光Ｌｉｎを反射した場合に、反射光Ｒ１が主として投影レンズ１８ａ（１８ｂ）に向かうように配置されている。また、図６（ｃ）に示すように、ミラー素子１０２は、反射位置Ｐ２にて入射光Ｌｉｎを反射した場合に、反射光Ｒ２が投影レンズ１８ａに向かわないように配置されている。
【００３０】
そして、それぞれのミラー素子１０２の反射位置を制御し、光源２０から出射した光の反射方向を選択的に変えることで、所望の投影画像や反射画像、第１の配光パターンを得ることができる。
【００３１】
本実施の形態に係る灯具ユニット１０は、第１の照射光学系１６とは別に第２の照射光学系１７を備えている。
【００３２】
図７（ａ）は、第２の照射光学系１７の光源２４から出射された光をミラー素子１０２が反射位置Ｐ２で反射する様子を示す模式図、図７（ｂ）は、第２の照射光学系１７の光源２４から出射された光をミラー素子１０２が反射位置Ｐ１で反射する様子を示す模式図、図７（ｃ）は、第２の照射光学系１７の光源２４から出射された光をミラー素子が反射位置Ｐ１および反射位置Ｐ２で反射した場合の反射光の広がりを模式的に示す図である。
【００３３】
図７（ｃ）に示すように、光源２４から出射した光はリフレクタ２６により集光反射されるため、入射光Ｌｉｎは完全な平行光とはならない。つまり、入射光Ｌｉｎは、ミラー素子１０２の反射面１０２ａに入射する際の入射角がある程度の広がりを持つ。そして、ミラー素子１０２は、反射位置Ｐ２にて入射光Ｌｉｎ’を反射した場合に、反射光Ｒ１’が主として投影レンズ１８ａ（１８ｂ）に向かうように配置されている。また、図７（ｃ）に示すように、ミラー素子１０２は、反射位置Ｐ１にて入射光Ｌｉｎ’を反射した場合に、反射光Ｒ２’が投影レンズ１８ａに向かわないように配置されている。
【００３４】
そして、それぞれのミラー素子１０２の反射位置を制御し、光源２４から出射した光の反射方向を選択的に変えることで、所望の投影画像や反射画像、第２の配光パターンを得ることができる。
【００３５】
このように、本実施の形態に係る光偏向装置１００は、反射部１００ａの少なくとも一部のミラー素子１０２において、照射光学系１６や照射光学系１７により照射された光を所望の配光パターンの一部として有効に利用されるように投影光学系１２へ向けて反射する第１の反射位置である反射位置Ｐ１または反射位置Ｐ２と、照射光学系１６や照射光学系１７により照射された光が有効に利用されないように反射する第２の反射位置である反射位置Ｐ２または反射位置Ｐ１とを回動軸１０２ｂを中心に切り替え可能に構成されている。
【００３６】
図８は、本実施の形態に係るミラー素子１０２の回動軸を説明するための模式図である。ミラー素子１０２は、四角形（例えば、正方形、菱形、長方形、平行四辺形）の反射面１０２ａを有している。各ミラー素子１０２は、四角形の反射面１０２ａの対角線に沿った回動軸１０２ｂを中心に、反射位置Ｐ１と、反射位置Ｐ２との間を切り替え可能に構成されている。これにより、様々な形状の配光パターンを素早く、精度良く形成できる。なお、本実施の形態に係るミラー素子１０２の回動軸１０２ｂは、鉛直方向に伸びている。また、本実施の形態に係るミラー素子１０２は、回動軸１０２ｂを中心に反射位置Ｐ１と反射位置Ｐ２との間で±１０〜±２０°程度変位するように構成されている。
【００３７】
このようなミラー素子１０２をマトリックス状に配置した光偏向装置１００に用いることで、一つの灯具ユニット１０において、配光パターンの異なる複数の機能を実現できる。例えば、図６（ｃ）に示すように、光偏向装置１００の各ミラー素子１０２が、第１の照射光学系１６から出射した入射光Ｌｉｎを選択的に投影光学系１２へ反射することで、所定の配光特性を実現できる。一方、図７（ｃ）に示すように、光偏向装置１００の各ミラー素子１０２が、第２の照射光学系１７から出射した入射光Ｌｉｎ’を選択的に投影光学系１２へ反射することで、所定の配光特性を実現できる。
【００３８】
一方、複数の照射光学系を一つの光偏向装置で反射方向制御や透過方向制御する灯具ユニットの場合、各照射光学系における反射光Ｒ２、反射光Ｒ２’が向かう領域に他の照射光学系があると、迷光が生じたりするおそれがある。そのため、反射光Ｒ２、反射光Ｒ２’が向かう領域となるべく重複しない（干渉しない）領域に各照射光学系を配置することが望ましい。
【００３９】
しかしながら、反射部１００ａを正面から見て、第１の照射光学系１６が照射する第１の光の照射方向と第２の照射光学系１７が照射する第２の光の照射方向とが正反対（平行）になるように第１の照射光学系１６および第２の照射光学系１７を配置すると、図６（ｃ）および図７（ｃ）に示すように、反射光Ｒ２の領域に第２の照射光学系１７が、反射光Ｒ２’の領域に第１の照射光学系１６が存在することになる。
【００４０】
そこで、このような状況を防ぐために、第１の照射光学系１６や第２の照射光学系１７が照射する光の方向や広がりを調整する必要がある。具体的には、入射光Ｌｉｎや入射光Ｌｉｎ’の入射角の広がりをある程度小さくし、あるいは、反射光Ｒ１や反射光Ｒ１’が第１の投影レンズ１８ａに入射する領域をずらす必要がある。
【００４１】
図９（ａ）は、第１の照射光学系１６による入射光Ｌｉｎ、反射光Ｒ１および反射光Ｒ２との関係を模試的に示した正面図、図９（ｂ）は、第２の照射光学系１７による入射光Ｌｉｎ’、反射光Ｒ１’および反射光Ｒ２’との関係を模試的に示した正面図、図９（ｃ）は、図９（ａ）および図９（ｂ）の状態を重畳した様子を模式的に示した正面図である。
【００４２】
図９（ａ）に示すように、第１の照射光学系１６による反射光Ｒ１は、投影光学系１２の有効領域Ｒ３の右側に偏って入射する。ここで、有効領域Ｒ３とは、灯具ユニット１０の前方で形成される配光に寄与する光が通過する領域である。また、図９（ｂ）に示すように、第２の照射光学系１７による反射光Ｒ１’は、投影光学系１２の有効領域Ｒ３の左側に偏って入射する。したがって、第１の照射光学系１６および第２の照射光学系１７の両者を考慮した出射光の有効領域Ｒ４は、図９（ｃ）に示すように、投影光学系１２の有効領域Ｒ３の中央部分に限られており、光源から出射した光を効率良く利用するという観点では、更なる改良が必要である。
【００４３】
そこで、本発明者らは、更なる改良として、第１の照射光学系１６および第２の照射光学系１７を、反射部１００ａを正面から見て、入射光Ｌｉｎの照射方向と入射光Ｌｉｎ’の照射方向とが平行にならないように配置した。
【００４４】
図１０（ａ）は、本実施の形態に係る第１の照射光学系１６による入射光Ｌｉｎ、反射光Ｒ１およびＲ２との関係を模試的に示した正面図、図１０（ｂ）は、本実施の形態に係る第２の照射光学系１７による入射光Ｌｉｎ’、反射光Ｒ１’および反射光Ｒ２’との関係を模試的に示した正面図、図１０（ｃ）は、図１０（ａ）および図１０（ｂ）の状態を重畳した様子を模式的に示した正面図である。
【００４５】
本実施の形態に係る第１の照射光学系１６は、図１乃至図４に示すように、反射部１００ａを正面から見て、回動軸１０２ｂの一方の側（図３の左側領域）に配置されており、かつ、反射部１００ａを正面から見て、反射部１００ａへ入射光Ｌｉｎを斜め下から照射するように配置されている。第２の照射光学系１７は、反射部１００ａを正面から見て、回動軸１０２ｂの他方の側に配置されており、かつ、反射部１００ａを正面から見て、反射部１００ａへ入射光Ｌｉｎ’を斜め下から照射するように配置されている。
【００４６】
図１０（ａ）に示すように、第１の照射光学系１６による反射光Ｒ１は、投影光学系１２の有効領域Ｒ３の中央に入射する。また、図１０（ｂ）に示すように、第２の照射光学系１７による反射光Ｒ１’は、投影光学系１２の有効領域Ｒ３の中央に入射する。したがって、第１の照射光学系１６および第２の照射光学系１７の両者を考慮した出射光の有効領域Ｒ４は、図１０（ｃ）に示すように、投影光学系１２の有効領域Ｒ３のほとんどであり、光源から出射した光を効率良く利用できていることがわかる。
【００４７】
本実施の形態に係る灯具ユニット１０においては、入射光Ｌｉｎや入射光Ｌｉｎ’の中心が反射部１００ａに入射する入射角（正面視）は、水平面から下方（または上方）に３０〜４０°の範囲である。また、入射光Ｌｉｎや入射光Ｌｉｎ’の中心が反射部１００ａに入射する入射角（上面視）は、反射部１００ａの表面を含む平面に対して３０〜４０°の範囲である。これにより、灯具ユニット１０の幅をコンパクトにできる。
【００４８】
上述のように、本実施の形態に係る灯具ユニット１０は、第１の照射光学系１６と第２の照射光学系１７とを光偏向装置１００の両側に別々に配置できるため、照射光学系同士の干渉を考慮せずに、光偏向装置１００の反射部１００ａへ向かう光の入射方向を適切に設定できる。
【００４９】
これにより、第１の照射光学系１６が照射した入射光Ｌｉｎが光偏向装置１００で反射された際に、投影光学系１２へ向かって反射されなかった反射光Ｒ２が第２の照射光学系１７と干渉しにくくなる。同様に、第２の照射光学系１７が照射した入射光Ｌｉｎ’が光偏向装置１００で反射された際に、投影光学系１２へ向かって反射されなかった反射光Ｒ２’が第１の照射光学系１６と干渉しにくくなる。そのため、各照射光学系の配置や構成の自由度が増し、各照射光学系から照射した光のうちより多くの光が投影光学系で利用できる。
【００５０】
また、光偏向装置１００は、入射光Ｌｉｎが反射位置Ｐ２で反射された反射光Ｒ２および入射光Ｌｉｎ’が反射位置Ｐ１で反射された反射光Ｒ２’が投影レンズ１８ａへ入射しないように構成されている。これにより、迷光の発生が抑制される。
【００５１】
なお、上述の実施の形態では、照射光学系（光源）が２つの場合について説明したが、照射光学系が３つ以上であってもよい。
【００５２】
以上、本発明を上述の実施の形態を参照して説明したが、本発明は上述の実施の形態に限定されるものではなく、実施の形態の構成を適宜組み合わせたものや置換したものについても本発明に含まれるものである。また、当業者の知識に基づいて実施の形態における組合せや処理の順番を適宜組み替えることや各種の設計変更等の変形を実施の形態に対して加えることも可能であり、そのような変形が加えられた実施の形態も本発明の範囲に含まれうる。
【産業上の利用可能性】
【００５３】
本発明は、例えば、車両用灯具（車両用前照灯）、各種照明装置、各種移動体（航空機や鉄道車両等）の灯具に利用である。
【符号の説明】
【００５４】
Ｐ１  反射位置、  Ｒ１  反射光、  Ｐ２  反射位置、  Ｒ２  反射光、  Ｒ３，Ｒ４  有効領域、  １０  灯具ユニット、  １２  投影光学系、  １６  第１の照射光学系、  １７  第２の照射光学系、  １８ａ  第１の投影レンズ、  １８ｂ  第２の投影レンズ、  ２０  光源、  ２２  リフレクタ、  ２２ａ  反射面、  ２４  光源、  ２６  リフレクタ、  ２６ａ  反射面、  １００  光偏向装置、  １００ａ  反射部、  １０２  ミラー素子、  １０２ａ  反射面、  １０２ｂ  回動軸、  １０４  マイクロミラーアレイ、  １０６  カバー部材。
【図１】
2019176876.tif 000003
【図２】
2019176876.tif 000004
【図３】
2019176876.tif 000005
【図４】
2019176876.tif 000006
【図５】
2019176876.tif 000007
【図６】
2019176876.tif 000008
【図７】
2019176876.tif 000009
【図８】
2019176876.tif 000010
【図９】
2019176876.tif 000011
【図１０】
2019176876.tif 000012
【国際調査報告】
2019176876.tif 000013
2019176876.tif 000014
2019176876.tif 000015
2019176876.tif 000016